(57)【要約】本明細書に説明されるいくつかの実施形態は、電子または誘導蛍光灯器具（典型的には、安定器を伴う）への発光ダイオード（ＬＥＤ）ベースの電球の連結を促進するための方法および装置を提供する。具体的には、いくつかの実施形態は、蛍光灯の電気的挙動をシミュレートする回路を含む。実施形態はまた、回路によって制御される１つ以上のＬＥＤを含む。一実施形態において、回路は、プロセッサおよびメモリを含み、メモリは、命令を記憶し、命令は、プロセッサによって実行されると、回路に、蛍光灯の電気的挙動をシミュレートさせる。
2014513859.tif 000002
【特許請求の範囲】
【請求項１】
装置であって、前記装置は、
前記装置を蛍光灯器具に連結するための回路であって、前記回路は、蛍光灯の電気的挙動をシミュレートする、回路と、
前記回路によって制御される１つ以上の発光ダイオード（ＬＥＤ）と
を備えている、装置。
【請求項２】
前記回路は、プロセッサおよびメモリを含み、前記メモリは、命令を記憶し、前記命令は、前記プロセッサによって実行されると、前記回路に、前記蛍光灯の電気的挙動をシミュレートさせる、請求項１に記載の装置。
【請求項３】
前記回路は、前記蛍光灯器具から受信される、蛍光灯を始動させるための電圧スパイクを短絡させるための短絡回路を備えている、請求項１に記載の装置。
【請求項４】
前記短絡回路は、１つ以上のツェナーダイオードを備えている、請求項３に記載の装置。
【請求項５】
前記回路は、前記蛍光灯器具によって使用されている安定器のタイプを検出するための安定器検出回路を含む、請求項１に記載の装置。
【請求項６】
前記回路は、前記１つ以上のＬＥＤに給電するための交流電流（ＡＣ）／直流電流（ＤＣ）コンバータを含む、請求項１に記載の装置。
【請求項７】
前記回路は、制御信号に基づいて、一対の端子にわたる負荷を変動させることが可能な負荷シミュレータ回路を含む、請求項１に記載の装置。
【請求項８】
前記回路は、前記蛍光灯器具によって前記装置に供給される電圧に対応するデジタル値を決定するためのアナログ／デジタルコンバータ（ＡＤＣ）を含む、請求項１に記載の装置。
【請求項９】
前記回路は、前記蛍光灯器具に代わってシミュレートされるべき負荷プロファイルを決定可能である、請求項１に記載の装置。
【請求項１０】
前記１つ以上のＬＥＤの１つ以上の特性を構成するための二重インラインパッケージスイッチをさらに備えている、請求項１に記載の装置。
【請求項１１】
特性は、輝度、色、ＬＥＤが急にオン／オフするか徐々にオン／オフするか、ＬＥＤが調光点灯可能であるかどうか、またはＬＥＤが所定の持続時間後、オン／オフするようにプログラム可能であるかどうかのうちの１つである、請求項１０に記載の装置。
【請求項１２】
前記回路は、無線チャネルを介して通信デバイスと通信するための無線回路を含む、請求項１に記載の装置。
【請求項１３】
前記回路は、前記無線チャネルを介して前記通信デバイスから受信した情報に基づいて、１つ以上のＬＥＤの１つ以上の特性を構成する、請求項１２に記載の装置。
【請求項１４】
特性は、輝度、色、ＬＥＤが急にオン／オフするか徐々にオン／オフするか、ＬＥＤが調光点灯可能であるかどうか、またはＬＥＤが所定の持続時間後、オン／オフするようにプログラム可能であるかどうかのうちの１つである、請求項１３に記載の装置。
【請求項１５】
蛍光灯器具への発光ダイオード（ＬＥＤ）ベースの電球の連結を促進する方法であって、前記方法は、
前記ＬＥＤベースの電球に連結された前記蛍光灯器具に代わってシミュレートされるべき負荷プロファイルを決定することであって、前記ＬＥＤベースの電球は、１つ以上のＬＥＤ灯を含む、ことと、
前記負荷プロファイルをシミュレートすることと
を含む、方法。
【請求項１６】
前記負荷プロファイルを決定することは、前記蛍光灯器具が、電子または誘導安定器を含むかどうかを決定することを含む、請求項１５に記載の方法。
【請求項１７】
命令を記憶している非一過性コンピュータ可読記憶媒体であって、前記命令は、プロセッサによって実行されると、前記プロセッサに、蛍光灯器具への発光ダイオード（ＬＥＤ）ベースの電球の連結を促進する方法を行わせ、前記方法は、
前記ＬＥＤベースの電球に連結される蛍光灯器具に代わってシミュレートされるべき負荷プロファイルを決定することであって、前記ＬＥＤベースの電球は、１つ以上のＬＥＤ灯を含む、ことと、
前記負荷プロファイルをシミュレートすることと
を含む、非一過性コンピュータ可読記憶媒体。
【請求項１８】
前記負荷プロファイルを決定することは、前記蛍光灯器具が、電子または誘導安定器を含むかどうかを決定することを含む、請求項１７に記載の非一過性コンピュータ可読記憶媒体。
【発明の詳細な説明】
【技術分野】
【０００１】
本開示は、発光装置に関する。より具体的には、本開示は、蛍光灯器具への発光ダイオード（ＬＥＤ）ベースの電球の連結を促進する方法および装置に関する。
【背景技術】
【０００２】
企業、建物、住宅、学校、商業施設、工場、および他の場所に設置された数百万もの既存の蛍光灯器具が存在する。新世代のＬＥＤ灯は、さらなるエネルギー効率およびより長い寿命をもたらす。
【発明の概要】
【課題を解決するための手段】
【０００３】
本明細書に説明されるいくつかの実施形態は、既存の誘導または電子蛍光灯器具（典型的には、安定器を伴う）への「プラグ交換式」ＬＥＤベースの電球の連結を促進する方法および装置を提供する。
【０００４】
多くの既存の蛍光灯器具は、既存の固定配線を改変せずには（例えば、始動器、安定器にわたる短絡等を除去することによって）、「プラグ＆プレイ」ベースで、直接、プラグ差込交換式ＬＥＤ灯電球と互換性がない。本明細書に説明されるいくつかの実施形態は、既存の蛍光灯回路が、直接、既存の蛍光灯器具または回路に修正を行わずに、ＬＥＤベースの電球を駆動することを可能にする、ＬＥＤベースの電球内に含まれ得る回路を提供する。
【図面の簡単な説明】
【０００５】
【図１】図１は、本明細書に説明されるいくつかの実施形態による、ＬＥＤベースの電球のためのブロック図を図示する。
【図２】図２は、本明細書に説明されるいくつかの実施形態による、蛍光灯器具に連結されるＬＥＤベースの電球を動作させるためのプロセスを図示する。
【図３】図３は、本明細書に説明されるいくつかの実施形態による、ＬＥＤベースの電球のためのブロック図を図示する。
【発明を実施するための形態】
【０００６】
以下の説明は、いずれの当業者も、本発明を作製および使用することが可能となるように提示され、特定の用途およびその要件に照らして提供される。開示される実施形態への種々の修正は、当業者に容易に明白となり、本明細書で定義される一般的原理は、本発明の精神および範囲から逸脱することなく、他の実施形態および用途に適用され得る。したがって、本発明は、示される実施形態に限定されず、請求項と一貫した最も広い範囲が与えられるべきである。
【０００７】
本発明を実施するための形態に説明されるデータ構造およびコードは、典型的には、コンピュータシステムによる使用のためのコードおよび／またはデータを記憶することができる、任意のデバイスまたは媒体であり得る、非一過性コンピュータ可読記憶媒体上に記憶される。用語「非一過性コンピュータ可読記憶媒体」は、伝搬電磁波または信号を唯一除き、全コンピュータ可読記憶媒体を含む。これは、揮発性メモリ、不揮発性メモリ、磁気および光学記憶デバイス、例えば、ディスクドライブ、磁気テープ、コンパクトディスク、ＤＶＤ（デジタル多用途ディスクまたはデジタルビデオディスク）、あるいは現在公知または後に開発される他の非一過性コンピュータ可読媒体を含むが、それらに限定されない。
【０００８】
本開示で使用される場合、用語「電球」は、電気を光に変換する装置を指す。いくつかの蛍光灯では、電気は、水銀原子を励起させるために使用され、励起された水銀原子は、紫外線光を産生する。紫外線光は、順に、リン光体（同様に、電球内にある）を蛍光発光させ、それによって、可視光を産生する。
【０００９】
蛍光灯を動作させることは、電球内の蒸気をイオン化することによって、電球を始動させ、電球が始動されると、蒸気を通して流動する電流の量を限定するための回路を要求する。典型的蛍光灯器具は、電子または誘導（磁気）安定器のいずれかを含む。また、それらは、短い高電圧スパイクに点火し、最初に、イオン化された蒸気にわたってアークを生じさせることによって、蛍光灯を点灯させる、始動器回路を含む。これらのいずれも、ＬＥＤ灯に必要ないが、新しい交換式ＬＥＤ灯を連結し、既存の蛍光灯回路（すなわち、安定器および／または始動器）と協働させることは望ましい（性能向上の容易性のため）。
【００１０】
図１は、本明細書に説明されるいくつかの実施形態による、ＬＥＤベースの電球のブロック図を図示する。図１に示されるＬＥＤベースの電球は、例証目的のためだけのものであって、本明細書に説明される実施形態を限定することを意図するものではない。故に、多くの修正および変形例が、当業者に明白となるであろう。
【００１１】
回路１０２は、蛍光灯器具の一部であって、具体的には、蛍光灯を動作させるように設計されている。蛍光灯（図示せず）は、蛍光灯コネクタ１１２を通して、回路１０２に連結することができる。回路１０２は、交流電流（ＡＣ）電力供給源１０４から電力を受電する。回路１０２は、高電圧スパイクを電球に提供することによって、蛍光灯を始動させ、次いで、電球が始動された後、電球内の電流を調整する。蛍光灯のように電気的に挙動しない電球が、回路１０２に連結される場合、電球は、故障し得、および／または回路１０２を故障させ得る。
【００１２】
ＬＥＤは、蛍光灯のように電気的に挙動しない。したがって、ＬＥＤベースの電球は、直接、蛍光灯用に設計されている照明器具に連結することができない。本明細書に説明されるいくつかの実施形態は、蛍光灯コネクタ（例えば、蛍光灯コネクタ１１２）に連結可能であって、蛍光灯を動作させるように設計された回路（例えば、回路１０２）と適合性がある、ＬＥＤベースの電球（例えば、ＬＥＤベースの電球１１０）を提供する。
【００１３】
ＬＥＤベースの電球１１０は、回路１０６および１つ以上のＬＥＤ１０８を含む。回路１０６は、蛍光灯の電気的挙動をシミュレートし、それによって、回路１０２を正常に動作させる。回路１０６はまた、１つ以上のＬＥＤ１０８への電力を制御および提供する。回路１０６は、アナログおよび／またはデジタル構成要素を含むことができる。
【００１４】
図２は、本明細書に説明されるいくつかの実施形態による、蛍光灯器具に連結されるＬＥＤベースの電球を動作させるためのプロセスを図示する。
【００１５】
プロセスは、蛍光灯器具に代わってシミュレートされるべき負荷プロファイルを決定することから開始する（動作２０２）。ある定義によると、用語「負荷プロファイル」は、経時的インピーダンス値の変動を指す（例えば、負荷プロファイルは、負荷が、最初の１００ミリ秒の間第１のインピーダンス値に等しく、その後、負荷は、次の５秒にかけて第１のインピーダンス値から第２のインピーダンス値へと漸減することを規定し得る）。例えば、蛍光灯管の負荷プロファイルは、回路１０２によって経験される蛍光灯管の経時的インピーダンス値の変動である。ある定義によると、用語「蛍光灯器具に代わってシミュレートされるべき負荷プロファイル」は、蛍光灯器具内の回路（例えば、回路１０２）に、蛍光灯が、蛍光灯器具の蛍光灯コネクタ（例えば、蛍光灯コネクタ１１２）に連結された場合、それが動作するであろう実質的に同一の方法で動作させる、負荷プロファイルである。
【００１６】
いくつかの実施形態では、ＬＥＤベースの電球１１０内の回路１０６は、ＬＥＤベースの電球が、電子または機械（誘導）安定器に差し込まれるかどうかを決定することができる。これは、いくつかのアプローチを使用して決定することができる。
【００１７】
第１のアプローチでは、回路１０６は、入力電流の周波数（三角波）を分析することができる。電子安定器は、スイッチング電源に類似しており、したがって、回路１０６は、入力電圧／電流（電子安定器からの出力）を検査し、電子安定器によって産生される高周波数三角波を感知することができる。一方、誘導安定器は、高周波数三角波を産生しない。
【００１８】
第２のアプローチでは、回路１０６は、（電子または誘導安定器にかかる）負荷を変動させ、周波数が変化するかどうか、かつどのように変化するかを検出することができる（その場合、回路１０６は、ＬＥＤが、電子安定器に差し込まれていることを確認することができる）。
【００１９】
第３のアプローチでは、手動ＤＩＰ（二重インラインパッケージ）スイッチ設定または他の選択機構を使用して、構成選択肢を通して切り替えることができる。スイッチ（ＬＥＤベースの電球上に位置し得る）は、自動構成に設定されるか、または特定の負荷プログラムを駆動させるように手動で構成するように設定され得る。ヒト設置者が、安定器タイプ／モデル／製造業者に対応するように、ＬＥＤベースの電球のＤＩＰスイッチを手動で構成し得る。回路１０６は、ＤＩＰスイッチ設定を感知し、適宜、負荷を回路１０２に提供することができる。
【００２０】
第４のアプローチでは、回路１０６は、始動モードまたは継続のいずれかにおいて、安定器によって供給される電圧／電流の時間勾配を分析することができる。電圧／電流供給された安定器の勾配は、電子および磁気安定器で異なる。したがって、時間勾配は、安定器のタイプを検出するために使用することができる。
【００２１】
第５のアプローチでは、回路１０６は、インダクタ負荷の他の特性（誘導キック、時間勾配、安定器が切断するときのリバースキック等）を分析し、回路１０２が、電子または磁気安定器を含むかどうかを決定することができる。
【００２２】
第６のアプローチでは、回路１０６は、ＬＥＤベースの電球１１０が、サイクルを繰り返し、どのモードが最良に機能するかを試験する、「自動構成」プロセスを行うことができ、次いで、回路１０６は、その後、ＬＥＤベースの電球１１０がオンにされるときに使用され得る、最良モードを記憶することができる。例えば、単純「リセット」スイッチまたは「自動構成実行」スイッチが、ＬＥＤベースの電球１１０が設置されると、ＬＥＤベースの電球１１０に設定され得る。本実施形態では、ＬＥＤベースの電球１１０は、ＬＥＤベースの電球１１０が、自動構成プロセス中に決定されたモードを記憶するために使用することができる、読取専用メモリ（ＲＯＭ）またはフラッシュメモリを含み得る。いくつかの実施形態では、ＬＥＤベースの電球１１０が、構成されていない（すなわち、ＬＥＤベースの電球１１０は、工場から到着したばかりである）場合、ＬＥＤベースの電球１１０は、最初に電源が入れられると、「自動構成」プロセスを自動で行い得る。いくつかの実施形態では、ＬＥＤベースの電球１１０はまた、ある速度で点滅し、現在自動構成中であることを設置者に視覚的に示すか、あるいは特定の動作モードであることを示し、および／またはエラー状態が発生した場合、それを示し得る。
【００２３】
蛍光灯器具に代わってシミュレートされるべき負荷プロファイルが決定された後、プロセスは、負荷プロファイルをシミュレートすることができる（動作２０４）。例えば、回路１０６は、プロセッサおよびメモリを含むことができ、メモリは、プロセッサによって実行されると、ＬＥＤベースの電球１１０に、特定のタイプの蛍光灯の電気的挙動をシミュレートさせる命令を記憶することができる。例えば、メモリは、一式の「シミュレーションモード」のための命令を記憶し得、各シミュレーションモードは、電子安定器または機械（誘導）安定器の駆動特性に適合する、安定器にかける負荷を生成する、異なる「負荷プログラム」に対応する。安定器タイプの自動検出または手動構成（例えば、ヒト設置者によって、安定器タイプ／モデル／製造業者に対応するように手動で構成される、ＤＩＰスイッチに基づく）のいずれかによって構成される、複数の負荷プログラムが存在し得る。
【００２４】
負荷プログラムは、始動段階の間、およびまた、シミュレートされる蛍光灯がオンにされたとき、シミュレートされる蛍光灯の予期される電気的挙動をシミュレートすることができる。具体的には、シミュレートされる蛍光灯がオンにされたとき、回路１０６が模倣する電流引き込みは、回路１０６が、電子安定器を検出したか、機械（誘導）安定器を検出したか応じて、異なり得る。
【００２５】
いくつかの実施形態では、回路１０２内の誘導安定器は、電流引き込みが低過ぎる場合、適切に動作しないことがある。複数のアプローチを使用して、適切なレベルの電流引き込みを提供することができる。いくつかの実施形態では、回路１０６は、ＬＥＤ負荷の低速時分割を行うことができる。これらの実施形態では、回路１０６は、第１の持続時間（例えば、１０秒）の間、ＬＥＤをオンに維持するために十分な電力をバッファリングすることができる、キャパシタを含む。回路１０６は、第２の持続時間（例えば、１秒）の間、正常電流負荷を回路１０２内の安定器に呈し、キャパシタを満たす。次に、回路１０６は、回路１０２から切断する（したがって、回路１０２内の安定器からも切断する）。回路１０６が切断後、ＬＥＤは、第３の持続時間（いくつかの実施形態では、第１と第２の持続時間との間の差異に等しい、例えば、９秒）の間、キャパシタから電流を引き込むことによって、オンのままである。第３の持続時間の終了時、回路１０６は、回路１０２に再接続し、第１の持続時間に等しい持続時間の間、正常負荷を回路１０２に呈することによって、キャパシタを再充電する。本「低速時間切替」技法（ミリ秒ではなく、数秒以内にサイクルを繰り返すため「低速」）は、電子ならびに誘導安定器の両方に対して使用することができる。「負荷」は、二成分（オン／オフ）またはより小さいステップ（負荷は、例えば、１秒にかけて、例えば、２５６ステップにわたって、低速で上昇／降下する）のいずれかで始動／終了し、安定器にかかる急な応力を回避し得る（例えば、安定器をより長く持続させるため、および／または雑音を低減させるため、例えば、１秒のバズ音および／または１０秒毎のポップ音を回避する）。
【００２６】
図３は、本明細書に説明されるいくつかの実施形態による、ＬＥＤベースの電球のブロック図を図示する。
【００２７】
ＬＥＤベースの電球３００は、アナログ／デジタルコンバータ（ＡＤＣ）３１４、電圧分析器／安定器検出器３１６、ＡＣ（交流電流）／ＤＣ（直流電流）コンバータ３１２、制御回路３０６、制御式負荷シミュレータ３１０、１つ以上のツェナーダイオード３０８、ＤＣ電力スイッチ／コントローラ３０４、およびＬＥＤ灯３０２を含む。蛍光灯コネクタ３１８は、ＬＥＤベースの電球３００を蛍光灯器具に連結するために使用される。
【００２８】
始動器の高電圧スパイクは、１つ以上のツェナーダイオード３０８の使用を通して、効果的に分路されることができる。他の実施形態では、１つ以上のツェナーダイオードは、シリコン制御整流器と交換することができ、および／または高電圧ＴＲＩＡＣ（交流電流のための三極管）が、始動器スパイクを効果的に短絡させるために使用することができる。高電圧スパイクは、依然として、蛍光灯始動器によって産生されるが、高電圧スパイクは、１つ以上のツェナーダイオード３０８（または、高電圧スパイクを短絡可能な他の回路）の短絡効果によって、無害となることに留意されたい。蛍光灯始動器モジュールが、手動で除去される場合、実施形態は、１つ以上のツェナーダイオード３０８、または高電圧スパイクを短絡可能な他の回路を要求しないことがある。
【００２９】
ＡＣ／ＤＣコンバータ３１２は、ＤＣ電力を、制御回路３０６に供給し、かつＤＣ電力スイッチ／コントローラ３０４を通してＬＥＤ灯３０２に供給することができる。いくつかの実施形態では、ＡＣ／ＤＣコンバータ３１２は、異なるＤＣ電圧をＬＥＤベースの電球３００の異なる部分に供給することができ、例えば、ＡＣ／ＤＣコンバータ３１２は、電圧Ｖ１を制御回路３０６に供給し、かつＤＣ電力スイッチ／コントローラ３０４を通して電圧Ｖ２をＬＥＤ灯３０２に供給することができる。
【００３０】
ＡＤＣ３１４は、蛍光灯コネクタ３０８の２つのワイヤにわたる電圧を感知し、電圧値を、制御回路３０６によって処理され得る、デジタル値に変換することができる。具体的には、制御回路３０６は、電圧分析器／安定器検出器３１６を含み、ＡＤＣ３１４によって提供されるデジタル値に基づいて、蛍光灯器具が、電子または誘導安定器を使用するかどうかを決定することができる。
【００３１】
制御回路３０６は、負荷プロファイルに基づいて、制御信号３２０を発生させることができる。制御負荷シミュレータ３１０（また、本開示では、負荷シミュレータ回路とも称される）は、制御回路３０６から受信される制御信号３２０に基づいて、蛍光灯コネクタ３０８の２つのワイヤにわたって、動的（すなわち、時変）負荷を呈することができる。例えば、制御負荷シミュレータ３１０は、１００ミリ秒の間、第１のインピーダンス値に等しい負荷を呈し、その後、次の５秒にかけて、第１のインピーダンス値から第２のインピーダンス値に漸減する負荷を呈することができる。制御回路３０６はまた、ＬＥＤ制御信号３２２をＤＣ電力スイッチ／コントローラ３０４に提供し、ＬＥＤ灯３０２をオンにすること、オフにすること、および／またはその強度を増減させることができる。
【００３２】
前述のように、ＬＥＤベースの電球３００内の回路は、安定器によって経験される蛍光灯管の電流／電圧消費を効果的にシミュレートするように作用する。効果的に、ＬＥＤベースの電球３００内の回路は、安定器に必要電圧／電流特性を産生させるように錯覚を与え、安定器に、蛍光灯管を駆動していると思わせる。
【００３３】
いくつかの実施形態では、制御回路３０６は、ＲＡＭ（ランダムアクセスメモリ）、ＲＯＭ（読取専用メモリ）、および／またはアナログ制御回路を伴う、低性能プロセッサを含むことができる。いくつかの実施形態では、制御回路３０６は、既存の蛍光灯器具の始動器モジュールによって産生される高電圧「始動器スパイク」によって、リセットまたは起動される。いくつかの実施形態では、制御回路３０６は、安定器の入力電圧の出力の存在によって、リセットまたは起動される。制御回路３０６が、リセットまたは起動されると、制御回路３０６は、時間制御された人為的抵抗および／または誘導負荷を開始し、典型的蛍光灯管の負荷特性をシミュレートする。このように、制御回路３０６は、効果的に、安定器に、実際の蛍光灯管を駆動させていると信じさせるように錯覚を与える。
【００３４】
（変形例および修正例）
本明細書に説明されるいくつかの実施形態は、蛍光灯器具に必要とされる変更を伴わずに、典型的蛍光灯管の直接ＬＥＤ交換を可能にし、安定器を含む、全構成要素は、インラインのままであることができる。いくつかの実施形態では、特別な回路（例えば、図１に示される回路１０６）が、交換式ＬＥＤベースの電球内に含まれ、蛍光灯器具またはその配線の手動の再配線あるいは変更の必要性を軽減させる。
【００３５】
いくつかの実施形態は、接続される安定器の予期される負荷に最良整合するように構成可能である、ＬＥＤベースの電球を提供する。構成モードを選択することは、自動プロセスまたは構成設定の手動設定を介して行われ得る。いくつかの実施形態では、ＬＥＤベースの電球は、構成可能であって、例えば、ＤＩＰスイッチは、ＬＥＤベースの電球内の１つ以上のＬＥＤの１つ以上の特性を構成するために使用することができる。これらの特性として、輝度、色、ＬＥＤが急にまたは徐々にオンまたはオフになるかどうか、ＬＥＤが調光点灯可能であるかどうか、またはＬＥＤが、所定の持続時間後、オンまたはオフにされるようにプログラム可能であるかどうかが挙げられるが、それらに限定されない。
【００３６】
本明細書に説明されるいくつかの実施形態は、既存の蛍光灯器具／コネクタと物理的かつプラグ適合性があるように設計される、ＬＥＤベースの電球を提供し、ＬＥＤベースの電球は、接続される安定器と電子的に適合性があるように構成される。いくつかの実施形態では、１つ以上のＬＥＤの１つ以上の特性は、通信デバイスによって（例えば、ＷｉＦｉまたはＢｌｕｅｔｏｏｔｈ（登録商標）等の無線チャネルを介して通信デバイスから受信された情報に基づいて）、電磁信号の検出によって（例えば、時刻無線放送、ＴＶ信号垂直放送中に検出されるビット等）、可聴信号の検出によって（例えば、音声起動、手を叩くことによる起動等）、および／またはユーザによる手動構成によって（例えば、短時間内において、ある回数、既存のスイッチをオン／オフにすることによって）、構成可能である。通信デバイスは、無線チャネルを介して他のデバイスと通信可能な任意のデバイス、例えば、（限定されないが）スマートフォン（例えば、ｉＰｈｏｎｅ）、タブレットコンピュータ、ラップトップコンピュータ、デスクトップコンピュータ、無線ルータ、携帯電話の基地局等を指す。
【００３７】
いくつかの実施形態では、ＬＥＤベースの電球の出力（輝度、色等）もまた、徐々に「オン」および「オフ」にされ（例えば、２５６ステップを使用することによって）、オン／オフ動作をより視覚的に引き付けるものにし得る（急なオン／オフ動作の代わりに）。いくつかの実施形態では、ＬＥＤベースの電球は、ユーザが、電球に、その徐々にオンにするサイクルのある時点において、調光を「停止」させるように「信号伝達」（オン／オフ）し、それによって、ユーザが、既存の壁面の電力スイッチのユーザのサイクルの間の時間に従って、ある調光レベルを選択可能にし得るように構成される。
【００３８】
いくつかの実施形態では、ＬＥＤベースの電球は、新しい独立型デバイスまたは既存の蛍光灯交換デバイスのいずれか（ＬＥＤベースの電球のサイズ／既存の器具に整合させるためのコネクタによって決定される）として設計される。
【００３９】
本発明の実施形態の前述の説明は、例証および説明の目的のためだけに提示されている。それらは、包括的である、または本発明を開示される形態に限定することを意図するものではない。故に、多くの修正および変形例が、当業者に明白となるであろう。加えて、前述の開示は、本発明を限定することを意図するものではない。本発明の範囲は、添付の請求項によって定義される。
【図１】
2014513859.tif 000003
【図２】
2014513859.tif 000004
【図３】
2014513859.tif 000005
【国際調査報告】
2014513859.tif 000006
2014513859.tif 000007